(57)【特許請求の範囲】
【請求項１】
略板状で且つ同一の形状及び大きさに夫々形成されて略中間部分で互いに揺動自在に連結され、先端部が開閉可能に構成された左右一対の操作体（２），（２）と、両操作体（２），（２）間に介設され、両操作体（２），（２）を先端部側が閉じるように附勢するスプリングとを具備し、前記両操作体（２），（２）の先端部間に、ズボン（Ｗ）やスカートのバンド通し（Ｗａ）若しくはズボン（Ｗ）やスカートのウエスト部分に取り付けたループ状の短いバンド片が挿通された状態で掛止される開閉可能な掛止穴（２ｆ）を形成し、又、前記両操作体（２），（２）の基端部側がサスペンダーのバンド（Ｂ）の端部に取り付けられるサスペンダー用止め具（１）であって、前記両操作体（２），（２）は、内側部分が半円板状となった横長の板状に形成され、半円板状部分で揺動自在に連結された略中間に位置する本体部（２ａ），（２ａ）と、本体部（２ａ），（２ａ）の先端外側部分に内側へ向く姿勢でもって一体的に形成され、本体部（２ａ），（２ａ）との間に開閉可能な掛止穴（２ｆ）を形成する内側端が開放された格好の棒状の掛止片（２ｂ），（２ｂ）と、本体部（２ａ），（２ａ）の後端外側部分に内側へ向く姿勢でもって一体的に形成され、両操作体（２），（２）の揺動量に関係なく常に重なり合った状態で摺動するサスペンダーのバンド（Ｂ）が取り付けられる棒状の取付け片（２ｃ），（２ｃ）とを夫々備えて居り、当該両操作体（２），（２）は、掛止片（２ｂ），（２ｂ）の内側端同士が当接して両操作体（２），（２）の先端部間に閉じた状態の掛止穴（２ｆ）が形成される閉鎖位置と、両掛止片（２ｂ），（２ｂ）の内側端が離間して両操作体（２），（２）の先端部間に一部分が開いた状態の掛止穴（２ｆ）が形成される開放位置とに亘って揺動自在になっていることを特徴とするサスペンダー用止め具。
【発明の詳細な説明】
【０００１】
【発明の属する技術分野】
本発明は、ズボンやスカートがずり落ちるのを防止するサスペンダーに用いられるものであり、基端部側がサスペンダーのバンドの端部に取り付けられ、先端部側がズボン・スカートのバンド通しやズボン・スカートのウエスト部分に取り付けたループ状の短いバンド片に掛け止めされるサスペンダー用止め具の改良に関するものである。
【０００２】
【従来の技術】
一般に、サスペンダーのバンドの端部に取り付けられ、ズボンやスカートのバンド通し等に掛け止めされるサスペンダー用止め具としては、例えば図９に示す構造のものが知られている。
【０００３】
即ち、前記止め具１０は、金属板を略四角形状にプレス加工することにより形成されて居り、後端部（図９の上端部）にサスペンダーのバンドＢの端部が取り付けられるスリット状のバンド取付け穴１０ｂを形成した長方形状の本体部１０ａと、該本体部１０ａの先端側（図９の下方側）に本体部１０ａと平行になるように連設され、ズボンＷやスカートのバンド通しＷａ等に引っ掛けられる一端部側が開放された細長い板状の掛止片１０ｃとから成る。
尚、図９に於いて、１０ｄはバンド取付け穴１０ｂの周縁部及び掛止片１０ｃの内側縁部に形成した鋸歯状の滑り止め用突起である。
【０００４】
而して、前記止め具１０は、そのバンド取付け穴１０ｂにサスペンダーのバンドＢの端部を挿通し、該バンドＢの端部を本体部１０ａの後端側に巻き付け固定することによって、サスペンダーのバンドＢに取り付けられて居り、サスペンダーのバンドＢを肩に掛けた状態で、掛止片１０ｃをズボンＷのバンド通しＷａ等へ引っ掛けることによって、ズボンＷがずり落ちるのを防止できるようになっている（図１０参照）。
【０００５】
【発明が解決しようとする課題】
ところで、前記止め具１０に於いては、掛止片１０ｃの一端部側が開放された格好になっている為、掛止片１０ｃをズボンＷのバンド通しＷａに挿通してこれに引っ掛けても、止め具１０にサスペンダーの吊り方向と直交する方向（図１０の矢印方向）の力が作用したときに、該止め具１０が幅方向へ移動し、掛止片１０ｃがバンド通しＷａから簡単に外れてしまうと云う問題があった。
又、掛止片１０ｃの長さが比較的長く、然も掛止片１０ｃの先端部がフリーの状態になっている為、掛止片１０ｃに大きな荷重が掛かった場合に、これが簡単に変形したりすると云う問題もあった。
特に、上記構成の止め具１０をスキー用パンツのサスペンダーに使用した場合、スキーヤーが転倒したときに大きな衝撃を受けることになり、前記問題がより一層助長されることになる。
【０００６】
本発明は、上記の問題点を解消する為に創作されたものであり、その目的はズボンやスカートのバンド通し若しくはズボンやスカートのウエスト部分に取り付けたループ状の短いバンド片から容易に外れないようにしたサスペンダー用止め具を提供するにある。
【０００７】
上記目的を達成する為に、本発明の請求項１の発明は、略板状で且つ同一の形状及び大きさに夫々形成されて略中間部分で互いに揺動自在に連結され、先端部が開閉可能に構成された左右一対の操作体と、両操作体間に介設され、両操作体を先端部側が閉じるように附勢するスプリングとを具備し、前記両操作体の先端部間に、ズボンやスカートのバンド通し若しくはズボンやスカートのウエスト部分に取り付けたループ状の短いバンド片が挿通された状態で掛止される開閉可能な掛止穴を形成し、又、前記両操作体の基端部側がサスペンダーのバンドの端部に取り付けられるサスペンダー用止め具であって、前記両操作体は、内側部分が半円板状となった横長の板状に形成され、半円板状部分で揺動自在に連結された略中間に位置する本体部と、本体部の先端外側部分に内側へ向く姿勢でもって一体的に形成され、本体部との間に開閉可能な掛止穴を形成する内側端が開放された格好の棒状の掛止片と、本体部の後端外側部分に内側へ向く姿勢でもって一体的に形成され、両操作体の揺動量に関係なく常に重なり合った状態で摺動するサスペンダーのバンドが取り付けられる棒状の取付け片とを夫々備えて居り、当該両操作体は、両掛止片の内側端同士が当接して両操作体の先端部間に閉じた状態の掛止穴が形成される閉鎖位置と、両掛止片の内側端が離間して両操作体の先端部間に一部分が開いた状態の掛止穴が形成される開放位置とに亘って揺動自在になっていることに特徴がある。
【０００９】
【発明の実施の形態】
以下、本発明の実施の形態を図面に基づいて詳細に説明する。
図１及び図２は本発明に係るサスペンダー用止め具１の分解斜視図及び拡大正面図であって、当該止め具１は、略中間部分で互いに揺動自在に連結され、先端部側（図２の上端部側）が開閉可能に構成された左右一対の操作体２，２と、両操作体２，２間に介設され、両操作体２，２を先端部側が閉じるように附勢するスプリング３とから構成されて居り、前記両操作体２，２の先端部間には、ズボンＷやスカートのバンド通しＷａ若しくはズボンＷやスカートのウエスト部分に取り付けたループ状の短いバンド片（図示省略）が挿通された状態で掛止される開閉可能な掛止穴２ｆが、又、両操作体２，２の基端部（図２の下端部）には、サスペンダーのバンドＢの端部が取り付けられる取付け片２ｃ，２ｃが夫々形成されている。
【００１０】
前記両操作体２，２は、合成樹脂材（例えばＰＯＭ）により略板状で且つ同一の形状及び大きさに夫々形成されて居り、略中間に位置して鳩目金具４により揺動自在に連結される板状の本体部２ａ，２ａと、本体部２ａ，２ａの先端側に連設された掛止片２ｂ，２ｂと、本体部２ａ，２ａの後端側に連設された取付け片２ｃ，２ｃとを夫々備えている。
【００１１】
具体的には、前記両本体部２ａ，２ａは、内側部分（図２の中央側部分）が半円板状となった横長の板状に形成されて居り、半円板状部分で揺動自在に連結されるようになっている。
又、両本体部２ａ，２ａの半円板状部分の片面側は、両本体部２ａ，２ａを重ね合わせたときにその両面が面一になるように円板形状に切り欠かれている。
更に、両本体部２ａ，２ａの半円板状部分には、両者を重ね合わせたときに互いに合致する貫通孔２ｄが、又、貫通孔２ｄの周縁部には、後述するスプリング３を収納する為の凹部２ｅが夫々形成されている。
尚、図示していないが、両本体部２ａ，２ａの両面には、模様等が施されている。
【００１２】
前記両掛止片２ｂ，２ｂは、夫々断面形状が矩形の短い棒状を呈して居り、本体部２ａ，２ａの先端（図２の上端）で且つ外側部分に内側へ向く姿勢でもって一体的に形成されている。即ち、両掛止片２ｂ，２ｂは、本体部２ａ，２ａの前端外側部分に該本体部２ａ，２ａの先端から一定の間隔を開けた状態で連設されて居り、本体部２ａ，２ａとの間に開閉可能な掛止穴２ｆを形成できるようになっている。
又、両掛止片２ｂ，２ｂは、内側端が開放された格好になって居り、両本体部２ａ，２ａの半円板状部分を重ね合わせ、この状態で両本体部２ａ，２ａを揺動させたときに内側端同士が当接したり、離間したりするようになっている。
【００１３】
前記両取付け片２ｃ，２ｃは、夫々断面形状が矩形の棒状を呈して居り、本体部２ａ，２ａの後端（図２の下端）で且つ外側部分に内側へ向く姿勢でもって一体的に形成されている。即ち、両取付け片２ｃ，２ｃは、本体部２ａ，２ａの後端外側部分に該本体部２ａ，２ａ後端から一定の間隔を開けた状態で連設されている。
又、両取付け片２ｃ，２ｃの内側部分の片面側は、両取付け片２ｃ，２ｃを重ね合わせたときに両面が面一になるように切り欠かれている。
更に、両取付け片２ｃ，２ｃは、内側端が開放された格好になって居り、両本体部２ａ，２ａの半円板状部分を重ね合わせ、この状態で両本体部２ａ，２ａを揺動させたときに両取付け片２ｃ，２ｃが常に重なり合った状態で摺動するようになっている。
【００１４】
そして、前記両操作体２，２は、本体部２ａ，２ａの半円板状部分を重ね合わせ、本体部２ａ，２ａに形成した貫通孔２ｄ，２ｄに鳩目金具４を挿通してかしめることにより、略中間部分で揺動自在に連結されて居り、掛止片２ｂ，２ｂの内側端同士が当接して両操作体２，２の先端部側が閉じた状態になる閉鎖位置（図２に示す位置）と、掛止片２ｂ，２ｂの内側端が離間して両操作体２，２の先端部側が開いた状態になる開放位置（図５に示す位置）とに亘って揺動自在となっている。
【００１５】
従って、両操作体２，２が閉鎖位置のときには、両掛止片２ｂ，２ｂの内側端同士が当接して両操作体２，２の先端部間に閉じた状態の細長い掛止穴２ｆが形成され、又、両操作体２，２が開放位置のときには、両掛止片２ｂ，２ｂの内側端が離間して両操作体２，２の先端部間に一部分が開いた状態の掛止穴２ｆが形成されることになる。
【００１６】
更に、両操作体２，２を揺動自在に連結したときには、本体部２ａ，２ａと取付け片２ｃ，２ｃとの間にサスペンダーのバンドＢが挿通される細長い取付け穴２ｇが形成されるようになっている。この取付け穴２ｇは、両操作体２，２の揺動量に関係なく、常時閉じた状態となっている。
【００１７】
一方、前記スプリング３は、両操作体２，２に形成した凹部２ｅ，２ｅに収納保持されて居り、両操作体２，２を閉鎖位置に附勢保持するものである。即ち、スプリング３は、両操作体２，２をその先端部（掛止片２ｂ，２ｂの内側端）同士が当接するように附勢するものである。この例では、スプリング３にはコイルスプリングが使用されている。
【００１８】
尚、図１及び図２に於いて、２ｈは掛止片２ｂ，２ｂの内側面に一定間隔毎に形成した滑り止め用溝、２ｉは取付け片２ｃ，２ｃの内側面に一定間隔毎に形成した滑り止め用溝、２ｊは両操作体２，２の外側面に一定間隔毎に形成され、両操作体２，２を押圧して揺動操作するときに指が滑らないようにした滑り止め用突起である。
【００１９】
而して、前記止め具１は、両操作体２，２の本体部２ａ，２ａに形成した凹部２ｅ，２ｅにスプリング３を収納し、両本体部２ａ，２ａの半円板状部分を重ね合わせた後、本体部２ａ，２ａに形成した貫通孔２ｄ，２ｄに鳩目金具４を挿通してかしめることにより、組み立てられる。
又、止め具１は、その取付け穴２ｇにサスペンダーのバンドＢの端部を挿通し、該バンドＢの端部を取付け片２ｃ，２ｃに巻き付けてバンドＢの一部分へ縫着若しくは鋲５等で固定することによって、図６に示すようにサスペンダーのバンドＢへ取り付けられる。
【００２０】
前記止め具１を例えばズボンＷのバンド通しＷａに掛け止めする場合には、先ず両操作体２，２の滑り止め用突起２ｊ，２ｊ部分を指で内側へ押圧し、閉鎖位置にある両操作体２，２を開放位置へ揺動させて掛止穴２ｆの一部分を開放する（図７参照）。即ち、両掛止片２ｂ，２ｂの内側端同士を離間させる。このとき、取付け片２ｃ，２ｃへ巻き付けられているサスペンダーのバンドＢは、両取付け片２ｃ，２ｃが両操作体２，２の揺動量に関係なく常に重なり合った状態で摺動するようになっている為、取付け片２ｃ，２ｃから抜け出ると云うこともない。
【００２１】
次に、両掛止片２ｂ，２ｂ間にズボンＷのバンド通しＷａを挿入し、これを掛止穴２ｆに挿通した状態で両操作体２，２から指を離す。そうすると、両操作体２，２は、スプリング３の弾性力により開放位置から閉鎖位置へ揺動し、掛止穴２ｆが閉じた状態となる（図８参照）。即ち、両掛止片２ｂ，２ｂの内側端同士が当接した状態となる。その結果、掛止穴２ｆへ挿通されたバンド通しＷａは、該掛止穴２ｆから抜け止めされ、掛止片２ｂ，２ｂに掛け止めされることになる。これによって、止め具１は、ズボンＷのバンド通しＷａに掛け止めされた状態となる。
【００２２】
一方、止め具１をズボンＷのバンド通しＷａから外す場合には、上記の状態から両操作体２，２の滑り止め用突起２ｊ，２ｊ部分を指で内側へ押圧し、両操作体２，２を閉鎖位置から開放位置へ揺動させて掛止穴２ｆの一部分を開放し、両掛止片２ｂ，２ｂの間からバンド通しＷａを抜けば良い。
【００２３】
前記止め具１は、左右一対の操作体２，２を揺動自在に連結して両操作体２，２の先端部側を開閉可能に構成すると共に、両操作体２，２の先端部間にズボンＷのバンド通しＷａ等が挿通された状態で掛止される開閉可能な掛止穴２ｆを形成し、両操作体２，２間に先端部側が閉じるように附勢するスプリング３を介設するようにしている為、掛止穴２ｆへズボンＷのバンド通しＷａ等を挿通して掛け止めしたときには、該掛止穴２ｆを閉じた状態に保持しておくことができる。その結果、止め具１にサスペンダーの吊り方向と直交する方向の外力が作用して該止め具１が幅方向へ移動しても、止め具１がバンド通しＷａ等から外れると云うことがない。
又、両操作体２，２を中間部分で揺動自在に連結し、両操作体２，２の取付け片２ｃ，２ｃにサスペンダーのバンドＢの端部を取り付けている為、サスペンダーのバンドＢに引っ張り力が作用したときに、この引っ張り力は取付け片２ｃ，２ｃに作用して両操作体２，２を閉鎖位置へ揺動させるようになっている。その結果、サスペンダーのバンドＢを肩に掛け、止め具１をズボンＷのバンド通しＷａ等に掛け止めしたときには、バンドＢの引っ張り力によって両操作体２，２が閉鎖位置へ揺動しようとし、止め具１がバンド通しＷａ等からより一層外れ難くなる。
更に、掛止片２ｂ，２ｂが比較的短い棒状に形成されている為、掛止片２ｂ，２ｂに大きな荷重が掛かった場合に、これが簡単に変形したりすると云うこともない。
然も、両操作体２，２が同一の形状及び同一の大きさを呈している為、両操作体２，２を合成樹脂材により形成した場合、金型の種類が少なくて済み、製造コストの低減を図ることができる。
【００２４】
上記例に於いては、両操作体２，２を合成樹脂材により夫々一体的に形成したが、他の例に於いては、両操作体２，２を金属材により形成しても良い。
【００２６】
【発明の効果】
上述の通り、本発明の止め具は、左右一対の操作体を中央部分で揺動自在に連結して両操作体の先端部側を開閉可能に構成すると共に、両操作体の先端部間にズボンのバンド通し等が挿通された状態で掛止される開閉可能な掛止穴を形成し、且つ両操作体間に先端部側が閉じるように附勢するスプリングを介設するようにしている為、掛止穴へズボンのバンド通し等を挿通して掛け止めしたときに、掛止穴を閉じた状態に保持しておくことができる。その結果、止め具に外力が作用して該止め具が幅方向へ移動しても、止め具がバンド通し等から外れると云うことがない。
又、両操作体を同一の形状及び大きさに形成した場合には、金型の種類が少なくて済み、製造コストの低減を図ることができる。
【図面の簡単な説明】
【図１】本発明に係るサスペンダー用止め具の分解斜視図である。
【図２】サスペンダー用止め具が閉じた状態の拡大正面図である。
【図３】サスペンダー用止め具の拡大底面図である。
【図４】図２のＡ−Ａ線断面図である。
【図５】サスペンダー用止め具が開いた状態の拡大正面図である。
【図６】サスペンダーのバンドの端部に止め具を取り付けた状態の正面図である。
【図７】止め具を開いてズボンのバンド通しへ引っ掛ける状態の正面図である。
【図８】止め具をズボンのバンド通しへ引っ掛けた状態の正面図である。
【図９】従来のサスペンダー用止め具の正面図でる。
【図１０】従来のサスペンダー用止め具をズボンのバンド通しへ引っ掛けた状態の正面図である。
【符号の説明】
１は止め具、２は操作体、２ｆは掛止穴、３はスプリング、Ｗはズボン、Ｗａはズボンのバンド通し、Ｂはサスペンダーのバンド。
【図１】
0003784470.tif 000002
【図２】
0003784470.tif 000003
【図３】
0003784470.tif 000004
【図４】
0003784470.tif 000005
【図５】
0003784470.tif 000006
【図６】
0003784470.tif 000007
【図７】
0003784470.tif 000008
【図８】
0003784470.tif 000009
【図９】
0003784470.tif 000010
【図１０】
0003784470.tif 000011